(57)【要約】【課題】光天井による良好な照明作用が得られ、また天井上面に平坦な作業用スペースを容易に形成することができるエレベーターかごの天井装置を得る。【解決手段】天井１１の下に吊り天井６を設け照明板７，９による光天井を形成する。また、天井１１に縁部天井板３を設け、縁部天井板３及びその間の空所１２の上方を覆って天井板１３を設けて天井１１上面のほぼ全域に平坦な作業用スペース１７を形成する。これにより、作業用スペース１７のためにかごが高くならず、昇降路全高を増す必要がなくエレベーターの設置費用を低減する。また、光源体９と照明板７，９との間隔の差異が少なく光天井面を均等に照明し、光天井面における光むらが減少する。【選択図】　　　　図１
2004107047.tif 000002
【特許請求の範囲】
【請求項１】
かごの壁板の上端に縁部が締結された天井と、上縁部が上記天井に締結され下面に照明板が配置された吊り天井と、上記天井の両側の縁部寄り箇所をそれぞれ構成し相互間に空所を形成して配置されて、下面に上記照明板に対応した光源体が装着され、かつ上記空所側の縁部が上側に屈折されてなる上向き補強屈折部が設けられた縁部天井板と、これらの縁部天井板、上記上向き補強屈折部及び空所の上方を覆って配置されて上記天井の要部を構成し、上記壁板寄りの縁部が下側に屈折されてなる下向き補強屈折部が上記縁部天井板に締結され、上面における中間部が上記上向き補強屈折部に締結されて、上記空所に対応した箇所の下面に上記照明板に対応した光源体が装着され、上面に平坦な作業用スペースを形成した天井板とを備えたエレベーターかごの天井装置。
【請求項２】
かごの壁板の上端に縁部が締結された天井と、上縁部が上記天井に締結され下面に照明板が配置された吊り天井と、上記天井の両側の縁部寄り箇所をそれぞれ構成し相互間に空所を形成して配置されて、下面に上記照明板に対応した光源体が装着され、かつ上記空所側の縁部が下側に屈折されてなる下向き補強屈折部が設けられた縁部天井板と、これらの縁部天井板の相互間に配置されて上記天井の中央箇所を構成し、上記縁部天井板との対向縁部が下側に屈折されてなる下向き補強屈折部によって上記縁部天井板の下向き補強屈折部に締結され、下面に上記照明板に対応した光源体が装着されて上記縁部天井板の上面とによって上面に平坦な作業用スペースを形成する中央天井板とを備えたエレベーターかごの天井装置。
【発明の詳細な説明】
【０００１】
【発明の属する技術分野】
この発明は、光天井を構成する吊り天井が設けられるエレベーターかごの天井装置に関する。
【０００２】
【従来の技術】
図４は、従来のエレベーターかごの天井装置の一例を示す図で、かごの天井箇所の縦断面図である。図において、１はかごの壁板、２は壁板１の上端に縁部が締結された天井で、両側の縁部天井板３及び縁部天井板３の相互間に配置された中央天井板４並びに縁部天井板３及び中央天井板４それぞれの対向縁部に設けられて相互に締結された上向き補強屈折部５によって構成されている。６は上縁部が天井２下面に締結された吊り天井、７は吊り天井６下面の両側の縁部寄りに設けられた縁部照明板である。
【０００３】
８は吊り天井６下面の縁部照明板７の相互間に配置されて中間が上方に湾曲した中央照明板、９は蛍光灯からなる光源体で、天井２下面に設けられて縁部照明板７、中央照明板８のそれぞれに対応して配置されている。１０はエレベーターの保守作業等を行うための足場板で、上向き補強屈折部５に締結されて、上向き補強屈折部５を含む天井２上面のほぼ全域を覆って設けられて平坦な作業用スペースを形成する。
【０００４】
従来のエレベーターかごの天井装置は上記のように構成され、天井２の下側に吊り天井６が装着されて縁部照明板７及び中央照明板８による光天井が形成される。また、天井２上面のほぼ全域を覆って足場板１０が設けられて平坦な作業用スペースを形成して、エレベーターの保守等の作業の容易化が図られている。（例えば、特許文献１参照）
【０００５】
【特許文献１】
特開平９−２４０９６４号公報
【０００６】
【発明が解決しようとする課題】
上記のような従来のエレベーターかごの天井装置では、天井２上面の上向き補強屈折部５の上に足場板１０が設けられるので、かごの外法背丈が増し規定されたエレベーター昇降路の頂部隙間を確保するために、昇降路全高を高くすることになりエレベーターの設置のための費用が嵩むという問題点があった。また、光源体９と縁部照明板７又は中央照明板８との間隔に差異が生じるので、光天井面に光むらができ易くなるという問題点があった。
【０００７】
この発明は、かかる問題点を解消するためになされたものであり、光天井面が均等に照明され、また天井上面に平坦な作業用スペースを容易に形成することができるエレベーターかごの天井装置を得ることを目的とする。
【０００８】
【課題を解決するための手段】
この発明に係るエレベーターかごの天井装置においては、かごの壁板の上端に縁部が締結された天井と、上縁部が天井に締結され下面に照明板が配置された吊り天井と、天井の両側の縁部寄り箇所をそれぞれ構成し相互間に空所を形成して配置されて、下面に吊り天井の照明板に対応した光源体が装着され、かつ空所側の縁部が上側に屈折されてなる上向き補強屈折部が設けられた縁部天井板と、これらの縁部天井板、上向き補強屈折部及び空所の上方を覆って配置されて天井の要部を構成し、壁板寄りの縁部が下側に屈折されてなる下向き補強屈折部が縁部天井板に締結され、上面における中間部が縁部天井板の上向き補強屈折部に締結されて、空所に対応した箇所の下面に吊り天井の照明板に対向した光源体が装着され、上面に平坦な作業用スペースを形成した天井板とが設けられる。
【０００９】
また、この発明に係るエレベーターかごの天井装置においては、かごの壁板の上端に縁部が締結された天井と、上縁部が天井に締結され下面に照明板が配置された吊り天井と、天井の両側の縁部寄り箇所をそれぞれ構成し相互間に空所を形成して配置されて、下面に吊り天井の照明板に対応した光源体が装着され、かつ空所側の縁部が下側に屈折されてなる下向き補強屈折部が設けられた縁部天井板と、これらの縁部天井板の相互間に配置されて天井の中央箇所を構成し、縁部天井板との対向縁部が下側に屈折されてなる下向き補強屈折部によって縁部天井板の下向き補強屈折部に締結され、下面に吊り天井の照明板に対応した光源体が装着されて縁部天井板の上面とによって上面に平坦な作業用スペースを形成する中央天井板とが設けられる。
【００１０】
【発明の実施の形態】
実施の形態１．
図１及び図２は、この発明の実施の形態の一例を示す図で、図１はかごの天井箇所の縦断面図、図２は図１における天井部材の斜視図である。図において、１はかごの壁板、１１は壁板１の上端に縁部が締結された天井、３は天井１１の両側の縁部を構成する縁部天井板で、天井１１の両側の縁部寄りにそれぞれ配置され相互間に空所１２を形成して配置されて、空所１２側の縁部が上側に屈折されてなる上向き補強屈折部５が設けられている。
【００１１】
１３は天井板で、両側の縁部天井板３、上向き補強屈折部５及び空所１２の上方を覆って配置されて天井１１の要部を構成し、壁板１寄りの縁部が下側に屈折されてなる下向き補強屈折部１４が縁部天井板３に締結され、上面における中間部が縁部天井板３の上向き補強屈折部５に締結されている。６は上縁部が天井１１下面に締結された吊り天井、７は吊り天井６下面の両側の縁部寄りに設けられた縁部照明板である。
【００１２】
８は吊り天井６下面の縁部照明板７の相互間に配置されて中間が上方に湾曲した中央照明板、９は蛍光灯からなる光源体で、縁部天井板３の下面、天井板１３下面の空所１２に設けられて縁部照明板７、中央照明板８のそれぞれに対応して配置されている。１５は天井１１の前面を構成する前板、１６は天井１１の後面を構成する後板、１７は天井板１３の上面に形成されたエレベーターの保守作業等を行うための平坦な作業用スペースである。
【００１３】
上記のように構成されたエレベーターかごの天井装置において、天井１１の下側に吊り天井６が装着されて縁部照明板７及び中央照明板８による光天井が形成される。また、天井１１の両側の縁部に縁部天井板３が設けられ、両側の縁部天井板３、上向き補強屈折部５及び縁部天井板３相互間の空所１２の上方を覆って天井板１３が設けられる。これによって、天井１１上面のほぼ全域を覆って天井板１３による平坦な作業用スペース１７が形成される。
【００１４】
これにより、天井板１３によって天井１１上面に直接的に平坦な作業用スペース１７が形成されるので、作業用スペース１７を設けることのためにかごの背丈が増すことがない。したがって、規定されたエレベーター昇降路の頂部隙間を確保するために、昇降路全高を高くする必要がなくエレベーターの設置のための費用を低減することができる。
【００１５】
また、部品数の増加を伴うことなく天井１１上面に作業用スペース１７を形成することができるので、かごの天井装置の製作費を低減することができる。
さらに、縁部天井板３の下面に縁部照明板７に対応した光源体９が設けられ、また天井板１３の下面の空所１２位置に中央照明板８に対応した光源体９が設けられる。
【００１６】
このため、光源体９と縁部照明板７又は光源体９と中央照明板８との間隔の差異が少なくなって光天井面が均等に照明され、光天井面における光むらが減少して良好な照明作用を得ることができる。
また、吊り天井６下面から天井板１３の上面までの高さが低くなり、輸送の梱包形態を小さくすることができ、搬送が容易にでき輸送費を節減することができる。
【００１７】
実施の形態２．
図３は、この発明の他の実施の形態の一例を示すかごの天井箇所の縦断面図である。図において、前述の図１及び図２と同符号は相当部分を示し、１８は壁板１の上端に縁部が締結された天井、１９は天井１８の両側の縁部を構成する縁部天井板で、天井１８の両側の縁部寄りにそれぞれ配置され反壁板１側の縁部が下側に屈折されてなる下向き補強屈折部２０が設けられている。
【００１８】
２１は天井１８の中央部を構成する中央天井板で、縁部天井板１９の相互間に配置され縁部天井板１９との対向縁部が下側に屈折されてなる下向き補強屈折部２２が設けられている。２３は天井１８の上面、すなわち縁部天井板１９及び中央天井板２１の上面によって形成されたエレベーターの保守作業等を行うための平坦な作業用スペースである。
【００１９】
上記のように構成されたエレベーターかごの天井装置において、天井１８の下側に吊り天井６が装着されて縁部照明板７及び中央照明板８による光天井が形成される。また、天井１８の構成する縁部天井板１９、中央天井板２１が、それぞれの下向き補強屈折部２０及び下向き補強屈折部２２によって相互に締結されて天井１８上面に平坦な作業用スペース２３が形成される。
【００２０】
また、縁部天井板１９、中央天井板２１の下面に縁部照明板７及び中央照明板８に対応した光源体９が設けられる。したがって、詳細な説明を省略するが図３の実施の形態においても図１及び図２の実施の形態に準じた作用が得られる。
【００２１】
また、図３の実施の形態において、吊り天井６下面から天井板１３の上面までの高さをさらに低くすることができ、輸送の梱包形態を小さくすることができるので搬送が容易にでき輸送費を節減することができる。なお、吊り天井６下面から天井板１３の上面までの高さが低くなることによって、かごの床面から吊り天井６下面までの高さを増すことができる。これにより、かご室内を高天井化することも可能である。
【００２２】
【発明の効果】
この発明は以上説明したように、かごの壁板の上端に縁部が締結された天井と、上縁部が天井に締結され下面に照明板が配置された吊り天井と、天井の両側の縁部寄り箇所をそれぞれ構成し相互間に空所を形成して配置されて、下面に吊り天井の照明板に対応した光源体が装着され、かつ空所側の縁部が上側に屈折されてなる上向き補強屈折部が設けられた縁部天井板と、これらの縁部天井板、上向き補強屈折部及び空所の上方を覆って配置されて天井の要部を構成し、壁板寄りの縁部が下側に屈折されてなる下向き補強屈折部が縁部天井板に締結され、上面における中間部が縁部天井板の上向き補強屈折部に締結されて、空所に対応した箇所の下面に吊り天井の照明板に対向した光源体が装着され、上面に平坦な作業用スペースを形成した天井板とを設けたものである。
【００２３】
これによって、天井の下側に吊り天井が装着されて照明板による光天井が形成される。また、天井の両側の縁部に縁部天井板が設けられ、両側の縁部天井板、上向き補強屈折部及び縁部天井板相互間の空所の上方を覆って天井板が設けられ、天井上面のほぼ全域を覆って天井板による平坦な作業用スペースが形成される。このため、天井板によって平坦な作業用スペースが直接的に天井に形成され、作業用スペースを設けることのためにかごの背丈が増すことがない。したがって、規定されたエレベーター昇降路の頂部隙間を確保するために、昇降路全高を高くする必要がなくエレベーターの設置のための費用を低減する効果がある。
また、天井板の下面に照明板に対応した光源体が設けられるので、光源体と照明板との間隔の差異が少なくなって光天井面が均等に照明され、光天井面における光むらが減少して良好な照明作用を得る効果がある。
【００２４】
また、この発明は以上説明したように、かごの壁板の上端に縁部が締結された天井と、上縁部が天井に締結され下面に照明板が配置された吊り天井と、天井の両側の縁部寄り箇所をそれぞれ構成し相互間に空所を形成して配置されて、下面に吊り天井の照明板に対応した光源体が装着され、かつ空所側の縁部が下側に屈折されてなる下向き補強屈折部が設けられた縁部天井板と、これらの縁部天井板の相互間に配置されて天井の中央箇所を構成し、縁部天井板との対向縁部が下側に屈折されてなる下向き補強屈折部によって縁部天井板の下向き補強屈折部に締結されて、下面に吊り天井の照明板に対応した光源体が装着されて縁部天井板の上面とによって上面に平坦な作業用スペースを形成する中央天井板とを設けたものである。
【００２５】
これによって、天井の下側に吊り天井が装着されて照明板による光天井が形成される。また、天井の両側の縁部に縁部天井板が設けられ、両側の縁部天井板の相互間に中央天井板が設けられて、縁部天井板及び中央天井板の上面による天井上面に平坦な作業用スペースが形成される。このため、天井板によって直接的に平坦な作業用スペースが天井に形成され、作業用スペースを設けることのためにかごの背丈が増すことがない。したがって、規定されたエレベーター昇降路の頂部隙間を確保するために、昇降路全高を高くする必要がなくエレベーターの設置のための費用を低減する効果がある。
【図面の簡単な説明】
【図１】この発明の実施の形態１を示す図であり、かごの天井箇所の縦断面図。
【図２】図１における天井部材の斜視図。
【図３】この発明の実施の形態２を示す図であり、かごの天井箇所の縦断面図。
【図４】従来のエレベーターかごの天井装置を示す図で、かごの天井箇所の縦断面図。
【符号の説明】
１　壁板、　３　縁部天井板、　５　上向き補強屈折部、　６　吊り天井、　７　縁部照明板、　８　中央照明板、　９　光源体、　１１　天井、　１２　空所、　１３　天井板、　１４　下向き補強屈折部、　１７　作業用スペース、　１８　天井、　１９　縁部天井板、　２０　下向き補強屈折部、　２１　中央天井板、　２２　下向き補強屈折部、　２３　作業用スペース。
【図１】
2004107047.tif 000003
【図２】
2004107047.tif 000004
【図３】
2004107047.tif 000005
【図４】
2004107047.tif 000006